(57)【要約】【課題】本発明は、光源を容易に取り替えることができるランプ及びそのランプカバー係合部材を提供することを目的とする。【解決手段】本発明のランプは、ハウジングと、係合フックを有するランプカバーと、前記ハウジングと前記ランプカバーとの間に収容される光源と、前記ランプカバーを前記ハウジングに固定する前記ランプカバー係合部材と、を備え、前記ランプカバー係合部材は、前記ハウジングに固定される固定部と、前記係合フックと係合する係合部と、押圧部と、を備え、前記押圧部を押圧することにより、前記係合フックは前記係合部から離れて、前記ランプカバーと前記ハウジングとを分離する。【選択図】図３
2013149365.tif 000002
【特許請求の範囲】
【請求項１】
係合フックを有するランプカバーをランプのハウジングに固定するために用いられるランプカバー係合部材であって、
前記ハウジングに固定される固定部と、前記係合フックと係合する係合部と、押圧部と、を備え、前記押圧部を押圧することにより、前記係合フックは前記係合部から離れて、前記ランプカバーと前記ハウジングとを分離することを特徴とするランプカバー係合部材。
【請求項２】
前記ランプカバー係合部材は、第一接続部及び第二接続部をさらに備え、前記ランプカバー係合部材は弾性シートであり、前記固定部、前記第一接続部、前記係合部、前記第二接続部及び前記押圧部は順次に接続されることを特徴とする請求項１に記載のランプカバー係合部材。
【請求項３】
前記第一接続部は、前記ハウジングから離れる方向に向かって前記固定部の一端から延在し、前記係合部は、前記固定部の延在方向と反対の方向に向かって前記第一接続部の一端から延在することを特徴とする請求項２に記載のランプカバー係合部材。
【請求項４】
前記第二接続部と前記係合部との間の角度は鋭角であり、前記押圧部と前記第二接続部との間の角度は鈍角であることを特徴とする請求項２または３に記載のランプカバー係合部材。
【請求項５】
前記第一接続部には、貫通孔が設けられることを特徴とする請求項２から４のいずれか一項に記載のランプカバー係合部材。
【請求項６】
ハウジングと、
係合フックを有するランプカバーと、
前記ハウジングと前記ランプカバーとの間に収容される光源と、
前記ランプカバーを前記ハウジングに固定するために用いられる請求項１〜請求項５のいずれか一項に記載のランプカバー係合部材と、
を備えることを特徴とするランプ。
【請求項７】
前記ランプカバーは対向する両端を有し、前記ランプカバーの一端は、前記ランプカバー係合部材によって前記ハウジングに固定され、前記ランプカバーの他端は、前記ハウジングに枢着することを特徴とする請求項６に記載のランプ。
【請求項８】
前記ランプカバーにおける前記ランプカバー係合部材の押圧部に対応する箇所には、貫通孔が設けられることを特徴とする請求項６または７に記載のランプ。
【発明の詳細な説明】
【技術分野】
【０００１】
本発明は、照明装置に関するものであり、特にランプカバー係合部材及びこれを用いるランプに関するものである。
【背景技術】
【０００２】
ランプは、ハウジングと、前記ハウジング内に収容される光源と、前記ハウジングの出射口に固定されるランプカバーと、を備える。前記ランプカバーは、ねじによって前記ハウジングの出射口に固定されて、前記ランプの内部に位置する前記光源を保護するために用いられる。
【発明の概要】
【発明が解決しようとする課題】
【０００３】
しかしながら、ねじによって前記ランプカバーを固定すると、前記ランプカバーを容易に開閉することができないので、前記ランプの内部に位置する前記光源を容易に取り替えることができない。
【０００４】
本発明の目的は、前記課題を解決し、光源を容易に取り替えることができるランプ及びそのランプカバー係合部材を提供することである。
【課題を解決するための手段】
【０００５】
本発明に係るランプカバー係合部材は、係合フックを有するランプカバーをランプのハウジングに固定するために用いられ、前記ハウジングに固定される固定部と、前記係合フックと係合する係合部と、押圧部と、を備え、前記押圧部を押圧することにより、前記係合フックは前記係合部から離れるので、前記ランプカバーと前記ハウジングとを分離する。
【０００６】
本発明に係るランプは、ハウジングと、係合フックを有するランプカバーと、前記ハウジングと前記ランプカバーとの間に収容される光源と、前記ランプカバーを前記ハウジングに固定する前記ランプカバー係合部材と、を備える。
【発明の効果】
【０００７】
本発明のランプにおいて、ランプカバー係合部材の押圧部を押圧することにより、前記ランプカバー係合部材を変形させると、ランプカバーの係合フックは前記ランプカバー係合部材の係合部から離れるので、前記ランプカバーを容易に開けて、前記ランプの内部に位置する光源を容易に取り替えることができる。
【図面の簡単な説明】
【０００８】
【図１】本発明の第一実施形態に係るランプを示す概略図である。
【図２】図１に示すランプのランプカバーを開いた状態を示す図である。
【図３】図１に示すランプのランプカバー係合部材のＩＩＩ−ＩＩＩ線に沿う断面図である。
【図４】図３に示すランプカバー係合部材の斜視図である。
【図５】本発明の第二実施形態に係るランプを示す概略図である。
【発明を実施するための形態】
【０００９】
図１及び図２を参照すると、本発明の第一実施形態に係るランプ１００は、ハウジング１０と、ランプカバー２０と、光源３０と、ランプカバー係合部材４０と、を備える。
【００１０】
前記ハウジング１０は、前記光源３０を載置するために用いられる。前記ハウジング１０は、底壁１１及び少なくとも１つの側壁１２を備える。前記底壁１１は、円形、長方形又は三角形などである。本実施形態において、前記底壁１１は、長方形であり、前記ハウジング１０は、４つの側壁１２を備える。前記底壁１１及び４つの前記側壁１２が囲んで収容空間１３を形成する。前記収容空間１３は、前記ランプ１００の光源３０を収容するために用いられ、前記収容空間１３の前記底壁１１から離れている一端には、開口が設けられる。
【００１１】
前記ランプカバー２０は、前記収容空間１３の開口を覆う。前記ランプカバー２０の形状は、前記ハウジング１０の形状によって決まり、例えば、円形、長方形又は三角形などであることができる。本実施形態において、前記ランプカバー２０は、長方形であり、透光部２１及び前記透光部２１を囲むフレーム２２を備える。前記フレーム２２は、対向する第一辺２２１及び第二辺２２２を有する。前記フレーム２２の第一辺２２１は、ヒンジによって前記ハウジング１０の１つの側壁１２に枢着する。前記フレーム２２の第二辺２２２には、前記ハウジング１０の底壁１１に向かって延在する係合フック２２２ａ（図３を参照）が形成される。前記フレーム２２の第二辺２２２の前記底壁１１から離間する外表面には、少なくとも１つの取っ手２２２ｂが形成される。前記光源３０を取り付けるか取り外す際、前記取っ手２２２ｂを握って前記ランプカバー２０を開けるか閉じる。前記フレーム２２が透明材料からなる場合、前記透光部２１及び前記フレーム２２は、一体成形によって一体とすることができる。
【００１２】
前記光源３０は、前記収容空間１３に収容される。本実施形態において、前記光源３０は、前記ハウジング１０の底壁１１に固定される。前記ハウジング１０及び前記ランプカバー２０は、前記光源３０を収容且つ固定するために用いられるので、前記ハウジング１０及び前記ランプカバー２０の形状は本実施形態に限定されるものではなく、他の実施形態において、前記ハウジング１０は平板状であってもよく、前記ランプカバー２０は、前記ハウジング１０に対面する凹面を有する。
【００１３】
図３及び図４を参照すると、前記ランプカバー係合部材４０は、前記ハウジング１０の側壁１２に固定されており、前記ランプカバー２０の係合フック２２２ａを係合させて、前記ランプカバー２０を固定する。本実施形態において、前記ランプカバー係合部材４０は、弾性シートであり、順次に接続される固定部４１、第一接続部４２、係合部４３、第二接続部４４及び押圧部４５を備える。前記固定部４１、前記第一接続部４２、前記係合部４３、前記第二接続部４４及び前記押圧部４５は、一体成形されることが好ましい。
【００１４】
前記固定部４１は、前記ハウジング１０の側壁１２に固定される。前記固定部４１を前記ハウジング１０の側壁１２に容易に固定するために、本実施形態において、前記側壁１２は、前記底壁１１に平行な平台部１１１を有し、前記固定部４１は前記平台部１１１に固定される。
【００１５】
前記第一接続部４２は、前記底壁１１から離れる方向に向かって前記固定部４１の一端から延在し、本実施形態において、前記第一接続部４２は前記固定部４１に直交する。
【００１６】
前記係合部４３は、前記固定部４１の延在方向とは反対の方向に向かって前記第一接続部４２の一端から延在する。前記ランプカバー２０の係合フック２２２ａは、前記係合部４３に係合する。前記係合部４３と前記第一接続部４２との間の角度は、前記ランプカバー２０の係合フック２２２ａが前記係合部４３に係合することを確実にする角度であり、本実施形態において、前記係合部４３は前記第一接続部４２に直交する。前記係合部４３と前記第一接続部４２との間の角度は、鋭角であることが好ましい。
【００１７】
前記第二接続部４４は、前記係合部４３の一端から前記係合部４３と鋭角をなすように斜めに延在する。
【００１８】
前記押圧部４５は、前記第二接続部４４の一端から前記第二接続部４４と鈍角をなすように水平方向に沿って延在する。
【００１９】
前記フレーム２２の前記押圧部４５に対応する箇所には、貫通孔２２２ｃが設けられており、手指又は棒状物が前記貫通孔２２２ｃを貫通して前記押圧部４５を押圧すると、前記第一接続部４２を変形させて、前記ランプカバー２０の係合フック２２２ａは前記係合部４３から離れるので、前記ランプカバー２０を容易に開けることができる。前記ランプカバー２０を開けるために必要とする前記押圧部４５に加える圧力を減少するために、本実施形態において、前記第一接続部４２に貫通孔４２１を設けて、前記第一接続部４２が変形するために必要とする力を減少させる。本実施形態において、前記押圧部４５は、前記ランプカバー２０内に位置するので、前記押圧部４５を不意に押圧して、前記ランプカバー２０が意図せず開けられることを防止する。
【００２０】
前記ランプカバー２０の第一辺２２１は、前記ハウジング１０の側壁１２に枢着しなくてもよく、即ち他の接続方法を用いることができ、例えば、複数の前記ランプカバー係合部材４０を用いて、前記ランプカバー２０の第一辺２２１を前記ハウジング１０の側壁１２に接続することができる。
【００２１】
図５を参照すると、本発明の第二実施形態に係るランプ２００は、前記第一実施形態に係るランプ１００と比べて、ランプカバー係合部材２４０がランプカバー２２０の外側に位置し、従って前記ランプカバー２２０に貫通孔を設けることを必要としない。
【００２２】
本実施形態において、前記ランプカバー係合部材２４０の押圧部を押圧することにより、前記ランプカバー係合部材２４０を変形させて、前記ランプカバー２２０の係合フックは前記ランプカバー係合部材２４０の係合部から離れるので、前記ランプカバー２２０を容易に開けて、前記ランプ２００の内部に位置する光源を取り替えることができる。
【００２３】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲によって規定される。
【符号の説明】
【００２４】
１０  ハウジング
１１  底壁
１２  側壁
２０，２２０  ランプカバー
２１  透光部
２２  フレーム
３０  光源
４０，２４０  ランプカバー係合部材
４１  固定部
４２  第一接続部
４３  係合部
４４  第二接続部
４５  押圧部
１００，２００  ランプ
１１１  平台部
２２１  第一辺
２２２  第二辺
２２２ａ  係合フック
２２２ｂ  取っ手
２２２ｃ，４２１  貫通孔
【図１】
2013149365.tif 000003
【図２】
2013149365.tif 000004
【図３】
2013149365.tif 000005
【図４】
2013149365.tif 000006
【図５】
2013149365.tif 000007